(57)【要約】【課題】簡易な装着物で、長時間安定的に非可聴つぶやき音を採取する。【解決手段】後頭部に沿って装着可能なアーム部１０２と、このアーム部１０２の両端の少なくとも一方に設けられ、アーム部１０２の装着状態において乳様突起直下の皮膚表面に接触するＮＡＭマイクロフォン１０１とによって、ネックバンド式ＮＡＭマイクロフォン１００を構成し、乳様突起直下の皮膚表面から、非可聴つぶやき音（Ｎｏｎ−Ａｕｄｉｂｌｅ  Ｍｕｒｍｕｒ；ＮＡＭ）あるいは通常音声などの体内軟部組織を伝導する振動音を採取して音声入力する。【選択図】図１
2006025333.tif 000002
【特許請求の範囲】
【請求項１】
乳様突起直下の皮膚表面から、非可聴つぶやき音（Ｎｏｎ−Ａｕｄｉｂｌｅ  Ｍｕｒｍｕｒ；ＮＡＭ）あるいは通常音声などの体内軟部組織を伝導する振動音を採取して音声入力するＮＡＭマイクロフォン装置であって、後頭部に沿って装着可能なアーム部と、前記アーム部の両端の少なくとも一方に設けられ、該アーム部の装着状態において前記乳様突起直下の皮膚表面に接触するＮＡＭマイクロフォンとを含むことを特徴とするネックバンド式ＮＡＭマイクロフォン装置。
【請求項２】
前記ＮＡＭマイクロフォンは前記アーム部の一端にのみ設けられ、前記アーム部の装着状態において前記乳様突起の皮膚表面に接触する骨伝導スピーカ部を更に含むことを特徴とする請求項１記載のネックバンド式ＮＡＭマイクロフォン装置。
【請求項３】
前記アーム部の両端の少なくとも一方に設けられ、外部装置との間で信号送受信を行う無線部を更に含むことを特徴とする請求項１又は２記載のネックバンド式ＮＡＭマイクロフォン装置。
【請求項４】
前記アーム部が長さ方向に伸縮可能であることを特徴とする請求項１から請求項３までのいずれか１項に記載のネックバンド式ＮＡＭマイクロフォン装置。
【請求項５】
前記アーム部は、端部に設けられているＮＡＭマイクロフォン又は骨伝導スピーカ部が、その接触する皮膚表面を押圧する程度の弾力性を有することを特徴とする請求項１から請求項４までのいずれか１項に記載のネックバンド式ＮＡＭマイクロフォン装置。
【発明の詳細な説明】
【技術分野】
【０００１】
本発明はネックバンド式ＮＡＭマイクロフォン装置に関し、特に乳様突起直下の皮膚表面から、非可聴つぶやき音（Ｎｏｎ−Ａｕｄｉｂｌｅ  Ｍｕｒｍｕｒ；ＮＡＭ）あるいは通常音声などの体内軟部組織を伝導する振動音を採取して音声入力するネックバンド式ＮＡＭマイクロフォン装置に関するものである。
【背景技術】
【０００２】
従来、耳介の下方部の、頭蓋骨の乳様突起直下の、胸鎖乳頭筋上の皮膚表面に装着され、発声器官の運動に伴う共振フィルタ特性変化により調音された、声帯の規則振動を伴わない、外部からは非可聴な呼吸音の体内軟部組織を伝導する振動音である非可聴つぶやき音（ＮＡＭ）を採取して、音声入力するコミュニケーションインタフェースシステムが提案されている（特許文献１）。
【特許文献１】国際公開ＷＯ２００４／０２１７３８号パンフレット
【発明の開示】
【発明が解決しようとする課題】
【０００３】
特許文献１では、ＮＡＭマイクロフォン装着法の一例として、ＮＡＭマイクロフォンと一体化された、眼鏡、ヘッドフォン、耳かけ型イヤフォン、帽子、ヘルメットなど、人間の頭部に装着する頭部装着物と一体化させた装置を使用することが記載されているが、いずれもＮＡＭマイクロフォン付の特殊な頭部装着物が必要となりコストが高くなるという問題がある。
【０００４】
また、ＮＡＭマイクロフォンを指で押えて乳様突起の直下に密着させる方法や、接着剤で固定する方法も考えられる。しかしながら、前者の場合には接着面の面積や圧力を長時間均一に維持することが困難であり、後者の場合には接着力が強くかつ剥がす際に皮膚への負担が無い接着剤が見当たらず、現実的ではないという問題がある。
本発明は上述した従来技術の問題点を解決するためになされたものであり、その目的は、簡易な装着物で、長時間安定的に非可聴つぶやき音を採取できるネックバンド式ＮＡＭマイクロフォン装置を提供することである。
【課題を解決するための手段】
【０００５】
本発明の請求項１のネックバンド式ＮＡＭマイクロフォン装置は、乳様突起直下の皮膚表面から、非可聴つぶやき音（Ｎｏｎ−Ａｕｄｉｂｌｅ  Ｍｕｒｍｕｒ；ＮＡＭ）あるいは通常音声などの体内軟部組織を伝導する振動音を採取して音声入力するＮＡＭマイクロフォン装置であって、後頭部に沿って装着可能なアーム部と、前記アーム部の両端の少なくとも一方に設けられ、該アーム部の装着状態において前記乳様突起直下の皮膚表面に接触するＮＡＭマイクロフォンとを含むことを特徴とする。このような構成により、簡易な装着物で、長時間安定的に非可聴つぶやき音を採取できる。
【０００６】
本発明の請求項２のネックバンド式ＮＡＭマイクロフォン装置は、請求項１において、前記ＮＡＭマイクロフォンは前記アーム部の一端にのみ設けられ、前記アーム部の装着状態において前記乳様突起の皮膚表面に接触する骨伝導スピーカ部を更に含むことを特徴とする。このような構成により、簡易な装着物で、長時間安定的に非可聴つぶやき音を採取できると共に、骨伝導スピーカによる出力音声を聴くことができる。
【０００７】
本発明の請求項３のネックバンド式ＮＡＭマイクロフォン装置は、請求項１又は２において、前記アーム部の両端の少なくとも一方に設けられ、外部装置との間で信号送受信を行う無線部を更に含むことを特徴とする。このような構成により、ワイヤレスで外部機器と信号を送受信できるので、携帯電話機などによる通話や音声認識に非可聴つぶやき音を利用することができる。
【０００８】
本発明の請求項４のネックバンド式ＮＡＭマイクロフォン装置は、請求項１から請求項３までのいずれか１項において、前記アーム部が長さ方向に伸縮可能であることを特徴とする。このような構成により、マイクロフォンや骨伝導スピーカ部の位置が適切になるように調整することができる。
本発明の請求項５のネックバンド式ＮＡＭマイクロフォン装置は、請求項１から請求項４までのいずれか１項において、前記アーム部は、端部に設けられているＮＡＭマイクロフォン又は骨伝導スピーカ部が、その接触する皮膚表面を押圧する程度の弾力性を有することを特徴とする。このような構成により、ＮＡＭマイクロフォンや骨伝導スピーカ部の適切な位置を維持することができる。
【発明の効果】
【０００９】
本発明によるネックバンド式ＮＡＭマイクロフォン装置は、アーム部先端にＮＡＭマイクロフォンを設置した単純な構造のため、低コストで実現可能であり、装着も容易で、違和感なく使用できるという効果がある。また、アーム部は、端部に設けられているＮＡＭマイクロフォン又は骨伝導スピーカ部が、その接触する皮膚表面を押圧する程度の弾力性を有するので、適度な圧力がそれらにかかり、動いてもずり落ちることなく、乳様突起直下の最適な場所から安定して長時間振動音を採取でき、また出力音声を良好に聴くことができるという効果がある。
【発明を実施するための最良の形態】
【００１０】
本発明では、上記課題を解決するため、アーム型の弾性体の先端部にＮＡＭマイクロフォンが固定された、乳様突起直下から後頭部に沿って装着するネックバンド式ＮＡＭマイクロフォン装置を提供する。
以下、本発明の実施例について、図面を参照して説明する。なお、以下の説明において参照する各図では、他の図と同等部分は同一符号によって示されている。なお、非可聴つぶやき音（ＮＡＭ）とは、発声器官の運動に伴う共振フィルタ特性変化により調音された、声帯の規則振動を伴わない、外部からは非可聴な呼吸音の体内軟部組織を伝導する振動音であり、ＮＡＭマイクロフォンとは、乳様突起直下の皮膚表面から、非可聴つぶやき音（ＮＡＭ）あるいは通常音声などの体内軟部組織を伝導する振動音を、採取するマイクロフォンのことを言う。
【実施例１】
【００１１】
図１は、本発明のネックバンド式ＮＡＭマイクロフォン装置の実施例１の構成、及び装着方法を示す図である。
図１（ａ）にはネックバンド式ＮＡＭマイクロフォン装置１００の構成例が示されている。同図において、ネックバンド式ＮＡＭマイクロフォン装置１００は、乳様突起直下の皮膚表面に接触するＮＡＭマイクロフォン１０１と、プラスチックや形状記憶合金など弾性体でできたアーム部１０２と、ＮＡＭマイクロフォン１０１と同じような形状、重さで、ゴムなどの滑りにくい材質で覆われたダミー１０３とを含んで構成されている。
【００１２】
図１（ｂ）、図１（ｃ）にはネックバンド式ＮＡＭマイクロフォン装置１００の装着方法が示されている。図１（ｂ）はネックバンド式ＮＡＭマイクロフォン装置１００を装着状態の人を側面から見た図で、図１（ｃ）は上面から見た図である。
アーム部１０２の端部の一方にはＮＡＭマイクロフォン１０１、他方にはダミー１０３が設けられている。ネックバンド式ＮＡＭマイクロフォン装置１００を使用する場合は、ＮＡＭマイクロフォン１０１とダミー１０３とを乳様突起直下の皮膚表面にあて、アーム部１０２を後頭部に沿って装着する。アーム部１０２は弾力性を有しているので、その端部に設けられているＮＡＭマイクロフォン１０１、ダミー１０３は、乳様突起直下の皮膚表面を、図中の矢印ＹＲ方向、矢印ＹＬ方向、にそれぞれ押圧することになる。このように、ＮＡＭマイクロフォン１０１に適度な圧力がかかるため、動いてもずり落ちることなく、乳様突起直下の最適な場所から安定して長時間振動音の採取が可能となる。
【００１３】
なお、ＮＡＭマイクロフォン１０１の設けられている位置とダミー１０３の設けられている位置とが反対でもよい。また、ダミー１０３の代わりに、ＮＡＭマイクロフォン１０１と同様のＮＡＭマイクロフォンを設けてもよい。このようにアーム部１０２の両端にＮＡＭマイクロフォンを設けて両方の入力信号を足し合わせば、集音特性が良好になる。
また、ＮＡＭマイクロフォン１０１の位置を調整して乳様突起直下の皮膚表面に接触させることができるように、アーム部１０２は、スライド式になっているなど、長さ方向に伸縮可能な構造であることが望ましい。
【００１４】
ＮＡＭマイクロフォン１０１の構成例が図２に示されている。図２（ａ）はＮＡＭマイクロフォン１０１の断面図である。同図に示されているように、乳様突起直下の皮膚表面に接触させる接触部２０１の裏側を、ＮＡＭマイクロフォンフレーム２０２が覆う構成になっている。接触部２０１の内部には、コンデンサマイクロフォン２０５が設けられ、そのリード線２０６が接触部２０１の裏面から導出されている。コンデンサマイクロフォン２０５は、振動板電極２０７を含んで構成されている。また、接触部２０１とＮＡＭマイクロフォンフレーム２０２との境界には、反射板２０４が設けられている。ＮＡＭマイクロフォンフレーム２０２の内部には、外部雑音防音空間２０３が形成されている。
【００１５】
接触部２０１は、皮膚との間で音響インピーダンスの不整合が生じないように、シリコーンゴムなどの人間の軟体組織に近い音響インピーダンスを有する生態適合性物質で構成される。
図２（ｂ）は図２（ａ）のＮＡＭマイクロフォン１０１を同図中の矢印Ｙ方向から見た正面図である。同図を参照すると、ＮＡＭマイクロフォンは略円形であり、接触部２０１の周囲にＮＡＭマイクロフォンフレーム２０２が設けられている。接触部２０１の内部には、コンデンサマイクロフォン２０５が設けられている。
【実施例２】
【００１６】
図３は、本発明のネックバンド式ＮＡＭマイクロフォン装置の実施例２の構成、及び装着方法を示す図である。
図３（ａ）にはネックバンド式ＮＡＭマイクロフォン装置３００の構成例が示されている。同図において、ネックバンド式ＮＡＭマイクロフォン装置３００は、ＮＡＭマイクロフォン１０１と、プラスチックや形状記憶合金など弾性体でできたアーム部１０２と、骨伝導スピーカ３０１とを含んで構成されている。ＮＡＭマイクロフォン１０１は乳様突起直下の皮膚表面に位置し、骨伝導スピーカ３０１は乳様突起の皮膚表面に位置しており、場所が異なり、アーム部１０２は形状的に各々の位置を調整する役割を有している。
【００１７】
図３（ｂ）、図３（ｃ）にはネックバンド式ＮＡＭマイクロフォン装置３００の装着方法が示されている。図３（ｂ）はネックバンド式ＮＡＭマイクロフォン装置３００を装着状態の人を側面から見た図で、図３（ｃ）は上面から見た図である。
ネックバンド式ＮＡＭマイクロフォン装置３００を使用する場合は、ＮＡＭマイクロフォン１０１を片方の乳様突起直下の皮膚表面にあて、骨伝導スピーカ３０１をもう片方の乳様突起の皮膚表面に当て、アーム部１０２を後頭部に沿って装着する。実施例１の場合と同様に、アーム部１０２は弾力性を有しているので、その端部に設けられているＮＡＭマイクロフォン１０１、骨伝導スピーカ３０１は、乳様突起直下の皮膚表面を、図中の矢印ＹＲ方向、矢印ＹＬ方向、にそれぞれ押圧することになる。これにより、安定した装着が可能になる。このように、ＮＡＭマイクロフォン１０１や骨伝導スピーカ３０１に適度な圧力がかかるため、動いてもずり落ちることなく、乳様突起直下の最適な場所から安定して長時間振動音を採取できると共に、出力音声を良好に聴くことができる。
【００１８】
なお、ＮＡＭマイクロフォン１０１の設けられている位置と骨伝導スピーカ３０１の設けられている位置とが反対でもよい。
骨伝導スピーカ３０１の構成例が図４に示されている。図４（ａ）は骨伝導スピーカ３０１の断面図である。同図に示されているように、乳様突起の皮膚表面に接触させる振動伝達部４０２の裏側を、骨伝導スピーカフレーム４０１が覆う構成になっている。骨伝導スピーカフレーム４０１の内部には、駆動部４０３が設けられ、スピーカコード４０４が駆動部４０３の裏面から導出されている。
図４（ｂ）は図４（ａ）の骨伝導スピーカ３０１を同図中の矢印Ｙ方向から見た正面図である。同図を参照すると、骨伝導スピーカ、振動伝達部４０２、駆動部４０３はそれぞれ略円形である。
【実施例３】
【００１９】
図５は、実施例１のネックバンド式ＮＡＭマイクロフォン装置１００を、音声認識システムに応用した場合の構成例を示す図である。
図１（ｂ）、図１（ｃ）と同様に、ＮＡＭマイクロフォン１０１とダミー１０３とを乳様突起直下の皮膚表面にあて、アーム部１０２を後頭部に沿って装着する。ここで、ダミー１０３の代わりに、ＮＡＭマイクロフォン１０１と同様のＮＡＭマイクロフォンを設けてもよい。すなわち、アーム部１０２の両端に、ＮＡＭマイクロフォンを設けてもよい。
【００２０】
人間が非可聴つぶやき音（ＮＡＭ）あるいは通常音声などで発声したコマンドまたは、かな列によって生ずる、体内軟部組織を伝導する振動音は、乳様突起直下の皮膚表面からＮＡＭマイクロフォン１０１に採取され、ＮＡＭマイクロフォン１０１内のコンデンサマイクロフォン２０５（図２参照）によって電気信号となる。この電気信号が通信ケーブル５０３により、パーソナルコンピュータ５０１または携帯端末５０２に送信される。パーソナルコンピュータ５０１、携帯端末５０２は、音声認識機能を有しているものとし、パーソナルコンピュータ５０１または携帯端末５０２において音声認識処理が行われる。認識結果は、例えば、パーソナルコンピュータ５０１または携帯端末５０２において動作するアプリケーションを起動／制御するためのコマンドとして使用される。
【実施例４】
【００２１】
図６は、実施例２のネックバンド式ＮＡＭマイクロフォン装置３００を、携帯電話システムに適用した場合の構成を示す図である。
同図において、通話者６００は、図３（ｂ）、図３（ｃ）と同様に、ＮＡＭマイクロフォン１０１を片方の乳様突起直下の皮膚表面にあて、骨伝導スピーカ３０１をもう片方の乳様突起の皮膚表面に当て、アーム部１０２を後頭部に沿って装着する。
ＮＡＭマイクロフォン１０１及び骨伝導スピーカ３０１は、携帯電話機６０１と通信ケーブル６１１で接続されている。骨伝導スピーカ３０１の代わりに携帯電話機６０１のスピーカを用いても良い。
【００２２】
無線ネットワーク６０３は、例えば、無線基地局６０４及び６１０と、基地局制御装置６０５及び６０９と、交換機６０６及び６０８と、通信網６０９とを含んで構成されている。本例では、携帯電話機６０１が無線基地局６０４と無線通信することにより、携帯電話機６０１と携帯電話機６０２との間で通話が可能となる。
図７は通話者６００が発声した非可聴つぶやき音（ＮＡＭ）あるいは通常音声が相手側に伝わるまでの流れを示すフローチャート、図８は通話相手側が発声した音声が通話者６００に伝わるまでの流れを示すフローチャートである。
【００２３】
図７において、通話者６００の非可聴つぶやき音（ＮＡＭ）あるいは通常音声などの体内軟部組織を伝導する振動音７０１は、乳様突起直下の皮膚表面からＮＡＭマイクロフォン１０１の接触部２０１に伝わり（ステップ７０２）、マイクロフォン内のコンデンサマイクロフォン２０５の振動板電極２０７を振動させることによって電気信号となりリード線２０６から取り出される（ステップ７０３）。この電気信号が有線の通信手段により、携帯電話機６０１に送信される（ステップ７０４）。
携帯電話機６０１に送信された電気信号は、無線ネットワーク６０３を介して、通話相手の携帯電話機６０２に送信され（ステップ７０５）、通話相手の携帯電話機６０２のスピーカで電気信号から振動音に変換されて（ステップ７０６）、通話者６００の再生音声７０７となる。
【００２４】
一方、図８において、通話相手の音声８０１は、通話相手の携帯電話機６０２のマイクロフォンで電気信号に変換され（ステップ８０２）、無線ネットワーク６０３を経由して、携帯電話機６０１に送信される（ステップ８０３）。電気信号はさらに携帯電話機６０１から有線の通話手段により、骨伝導スピーカ３０１に送信され（ステップ８０４）、骨伝導スピーカ３０１で電気信号から振動音に変換されて（ステップ８０５）、通話相手の再生音声８０６となる。なお、携帯電話機６０１から再生音声を直接聞く場合には、骨伝導スピーカ３０１を設ける必要はない。
【実施例５】
【００２５】
図９は、本発明のネックバンド式ＮＡＭマイクロフォン装置の実施例３の構成、及び装着方法を示す図である。
図９（ａ）にはネックバンド式ＮＡＭマイクロフォン装置９００の構成例が示されている。同図において、ネックバンド式ＮＡＭマイクロフォン装置９００は、無線通信部を含むＮＡＭマイクロフォン９０１と、プラスチックや形状記憶合金など弾性体でできたアーム部１０２と、電源部を含む骨伝導スピーカ９０２と、アンテナ９０３とを含んで構成されている。ＮＡＭマイクロフォン９０１は乳様突起直下の皮膚表面に位置し、骨伝導スピーカ９０２は乳様突起の皮膚表面に位置しており、場所が異なり、アーム部１０２は形状的に各々の位置を調整する役割を有している。
【００２６】
図９（ｂ）、図９（ｃ）にはネックバンド式ＮＡＭマイクロフォン装置９００の装着方法が示されている。図９（ｂ）はネックバンド式ＮＡＭマイクロフォン装置９００を装着状態の人を側面から見た図で、図９（ｃ）は上面から見た図である。
ネックバンド式ＮＡＭマイクロフォン装置９００を使用する場合は、無線通信部を含むＮＡＭマイクロフォン９０１を片方の乳様突起直下の皮膚表面にあて、電源部を含む骨伝導スピーカ９０２をもう片方の乳様突起の皮膚表面に当て、アーム部１０２を後頭部に沿って装着する。
【００２７】
ここで、図９中のＮＡＭマイクロフォン９０１の構成例が図１０に示されている。図１０（ａ）は無線通信部を含むＮＡＭマイクロフォン９０１の断面図である。同図において、図２（ａ）のＮＡＭマイクロフォンと異なる点は、外部雑音防音空間２０３に無線通信部１００１が設けられており、コンデンサマイクロフォン２０５からのリード線２０６、アンテナ９０３とを結ぶアンテナ線１００２、電源部を含む骨伝導スピーカ９０２からのスピーカコード４０４及び電源ケーブル１２０２が接続されている点である。
【００２８】
図１０（ｂ）は図１０（ａ）の無線通信部を含むＮＡＭマイクロフォン１０１を同図中の矢印Ｙ方向から見た正面図である。
図１１に無線通信部１００１の構成例が示されている。同図に示されているように、無線通信部１００１は、例えばBluetooth（登録商標）などのデジタル無線通信ユニット１１０１と、マイクアンプ１１０２と、スピーカアンプ１１０５と、Ａ／Ｄコンバータ１１０３と、Ｄ／Ａコンバータ１１０４とを含んで構成されている。
【００２９】
ここで、電源部を含む骨伝導スピーカ９０２の構成例が図１２に示されている。図１２（ａ）は電源部を含む骨伝導スピーカ９０２の断面図である。同図に示されている骨伝導スピーカ９０２が、図４（ａ）の骨伝導スピーカ３０１と異なる点は、骨伝導スピーカフレーム４０１内に電源ユニット１２０１が設けられており、電源ケーブル１２０２により外部に電源を供給できるようになっている点である。
図１２（ｂ）は、図１２（ａ）の電源部を含む骨伝導スピーカ９０２を同図中の矢印Ｙ方向から見た正面図である。
【実施例６】
【００３０】
図１３は、実施例５のネックバンド式ＮＡＭマイクロフォン装置９００を、携帯電話システムに適用した場合の構成例を示す図である。
同図において、通話者６００は、図３（ｂ）、図３（ｃ）の場合と同様に、無線通信部を含むＮＡＭマイクロフォン９０１を片方の乳様突起直下の皮膚表面にあて、電源部を含む骨伝導スピーカ９０２をもう片方の乳様突起の皮膚表面に当て、アーム部１０２を後頭部に沿って装着する。
【００３１】
無線通信部を含むＮＡＭマイクロフォン９０１及び電源部を含む骨伝導スピーカ９０２は、携帯電話機６０１と無線で接続されている。電源部を含む骨伝導スピーカ９０２の骨伝導スピーカの代わりに携帯電話機６０１にもともと設けられているスピーカを用いても良い。
無線ネットワーク６０３については、実施例４（図６参照）と同様なので、その説明を省略する。
【００３２】
携帯電話機６０１側の無線通信部１３０１は、デジタル無線通信ユニット１１０１に対応したデジタル無線通信ユニット１３０２と、アンテナ１３０３と、Ａ／Ｄコンバータ１３０４と、Ｄ／Ａコンバータ１３０５と、電源ユニット１３０６とを含んで構成されている。ここで、デジタル無線通信ユニット１１０１とデジタル無線通信ユニット１３０２とは同一ものでよい。
【００３３】
また、無線通信部１３０１は、携帯電話機６０１の筐体内に収納されてもよい。無線通信部１３０１が、携帯電話機６０１内に収納されない場合、無線通信部１３０１は、携帯電話機６０１のイヤホンマイク端子を介して携帯電話機６０１に接続される。また、無線通信部１３０１が携帯電話機６０１から電源を供給してもらえる場合には、電源ユニット１３０６は不要である。
【００３４】
このような構成のシステムにおいて、通話者６００が発声した場合には、通話者６００の非可聴つぶやき音（ＮＡＭ）あるいは通常音声などにより生成され、リード線２０６から取り出された電気信号は、マイクアンプ１１０２で増幅され、Ａ／Ｄコンバータ１１０３でデジタル信号に変換された後、デジタル無線通信ユニット１１０１でデジタル変調されてアンテナ９０３より送信される。この送信信号は、携帯電話機６０１側のアンテナ１３０３で受信され、デジタル無線通信ユニット１３０２でデジタル復調された後に、Ｄ／Ａコンバータ１３０５でアナログ信号に変換され、携帯電話機６０１に取り込まれる。
【００３５】
一方、通話相手が発声した場合は、通話相手の音声がＡ／Ｄコンバータ１３０４でデジタル信号に変換され、デジタル無線通信ユニット１３０２でデジタル変調された後、アンテナ１３０３から送信され、無線通信部を含むＮＡＭマイクロフォン９０１側のアンテナ９０３で受信される。この受信信号はデジタル無線通信ユニット１１０１でデジタル復調され、Ｄ／Ａコンバータ１１０４でアナログ信号に変換された後、スピーカアンプ１１０５で増幅され、電源部を含む骨伝導スピーカ９０２に入力される。
【００３６】
ところで、デジタル無線通信ユニット１１０１、１３０２として、例えばBluetooth（登録商標）Ｖｅｒ１．１に準拠したものを使用した場合、最大通信速度は７２１ｋｂｐｓとなり、さらに出力がBluetooth（登録商標）Ｃｌａｓｓ２に対応している場合、デジタル無線通信ユニット１１０１、１３０２の出力は最大４ｄＢｍで、見通しの条件において１０ｍ程度の通信が可能となる。
【００３７】
（実験データ）
図１４（ａ）は、ＮＡＭマイクロフォンを指で押えて乳様突起の直下に密着させて収録した非可聴つぶやき音（ＮＡＭ）の波形を示す図、同図（ｂ）はそのスペクトログラムを示す図である。同図（ｃ）はアーム部１０２の片側のみにＮＡＭマイクロフォンを設置した実施例１のネックバンド式ＮＡＭマイクロフォン装置を装着して収録した非可聴つぶやき音（ＮＡＭ）の波形を示す図、同図（ｄ）はそのスペクトログラムを示す図である。
【００３８】
ここで、同図（ａ）の無音区間Ｔ１及びＴ２の波形と同図（ｃ）の無音区間Ｔ３及びＴ４の波形とを比較する。すると、同図（ａ）の無音区間Ｔ１及びＴ２の波形には振幅が存在しているのに対し、同図（ｃ）の無音区間Ｔ３及びＴ４の波形にはほとんど振幅が存在していない。このことにより、ＮＡＭマイクロフォンを指で押えた場合、指の振動により雑音が生じて信号のＳＮ（Ｓｉｇｎａｌ  ｔｏ  Ｎｏｉｓｅ）比を劣化させていることがわかる。
したがって本発明によるネックバンド式ＮＡＭマイクロフォン装置の使用により、ＮＡＭマイクロフォンを指で押えて乳様突起の直下に密着させる場合よりも、安定してＳＮ比の高い信号の採取が可能となる。
【産業上の利用可能性】
【００３９】
本発明により、ＮＡＭマイクロフォンを、簡易な装着物で、長時間安定的に装着可能となり、ＮＡＭマイクロフォンによる声を出さない携帯電話での通話や、声を出さない音声認識装置の利用が、非常に容易となる。
【図面の簡単な説明】
【００４０】
【図１】（ａ）は本発明のネックバンド式ＮＡＭマイクロフォン装置の実施例１の構成を示す図、（ｂ）及び（ｃ）はその装着方法を示す図である。
【図２】（ａ）及び（ｂ）は図１中のＮＡＭマイクロフォンの構成例を示す図である。
【図３】本発明のネックバンド式ＮＡＭマイクロフォン装置の実施例２の構成を示す図、（ｂ）及び（ｃ）はその装着方法を示す図である。
【図４】（ａ）及び（ｂ）は図３中の骨伝導スピーカの一例を示す図である。
【図５】実施例１のネックバンド式ＮＡＭマイクロフォン装置を、音声認識システムに応用した場合の構成例を示す図である。
【図６】実施例２のネックバンド式ＮＡＭマイクロフォン装置を、携帯電話システムに適用した場合の構成を示す図である。
【図７】通話者が発声した非可聴つぶやき音（ＮＡＭ）あるいは通常音声が相手側に伝わるまでの流れを示すフローチャートである。
【図８】通話相手側が発声した音声が通話者に伝わるまでの流れを示すフローチャートである。
【図９】本発明のネックバンド式ＮＡＭマイクロフォン装置の実施例３の構成を示す図、（ｂ）及び（ｃ）はその装着方法を示す図である。
【図１０】（ａ）及び（ｂ）は図９中のＮＡＭマイクロフォンの構成例を示す図である。
【図１１】図１０中の無線通信部の構成例を示すブロック図である。
【図１２】（ａ）及び（ｂ）は図９中の骨伝導スピーカの構成例を示すブロック図である。
【図１３】実施例５のネックバンド式ＮＡＭマイクロフォン装置を、携帯電話システムに適用した場合の構成を示す図である。
【図１４】（ａ）はＮＡＭマイクロフォンを指で押えて乳様突起の直下に密着させて収録した非可聴つぶやき音（ＮＡＭ）の波形を示す図、（ｂ）はそのスペクトログラムを示す図、（ｃ）は実施例１のネックバンド式ＮＡＭマイクロフォンを装着して乳様突起の直下から収録した非可聴つぶやき音（ＮＡＭ）の波形を示す図、（ｄ）はそのスペクトログラムを示す図である。
【符号の説明】
【００４１】
１００、３００、９００  ネックバンド式ＮＡＭマイクロフォン装置
１０１、９０１  ＮＡＭマイクロフォン
１０２  アーム部
１０３  ダミー
２０１  接触部
２０２  マイクロフォンフレーム
２０３  外部雑音防音空間
２０４  反射板
２０５  コンデンサマイクロフォン
２０６  リード線
２０７  振動板電極
３０１、９０２  骨伝導スピーカ
４０１  骨伝導スピーカフレーム
４０２  振動伝達部
４０３  駆動部
４０４  スピーカコード
５０１  パーソナルコンピュータ
５０２  携帯端末
５０３、６１１  通信ケーブル
６００  通話者
６０１、６０２  携帯電話機
６０３  無線ネットワーク
６０４  無線基地局
６０５  基地局制御装置
６０６  交換機
６０９  通信網
９０３、１３０３  アンテナ
１００１、１３０１  無線通信部
１００２  アンテナ線
１１０１、１３０２  デジタル無線通信ユニット
１１０２  マイクアンプ
１１０３、１３０４  Ａ／Ｄコンバータ
１１０４、１３０５  Ｄ／Ａコンバータ
１１０５  スピーカアンプ
１２０１、１３０６  電源ユニット
１２０２  電源ケーブル
【図１】
2006025333.tif 000003
【図２】
2006025333.tif 000004
【図３】
2006025333.tif 000005
【図４】
2006025333.tif 000006
【図５】
2006025333.tif 000007
【図６】
2006025333.tif 000008
【図７】
2006025333.tif 000009
【図８】
2006025333.tif 000010
【図９】
2006025333.tif 000011
【図１０】
2006025333.tif 000012
【図１１】
2006025333.tif 000013
【図１２】
2006025333.tif 000014
【図１３】
2006025333.tif 000015
【図１４】
2006025333.tif 000016